(57)【要約】【課題】係合対象物に対してかけ外しの容易な連結リングを提供することである。【解決手段】環体１の両端間に形成された開口部２に線材の折曲げによって形成された開閉体３を設ける。開閉体３には環体１の一端部内面に当接可能な当接杆部４の両端に長さが相違する一対の側杆部５ａ、５ｂを設け、各側杆部５ａ、５ｂの端から内向きに支点杆部６を設ける。支点杆部６を環体１の他端部側面に形成されたピン孔７ａ、７ｂ内に挿入して開閉体３を開閉自在に支持する。開閉体３の側杆部５ａ、５ｂに外側方に張り出す操作部８を設け、その操作部８を押し込むことにより開閉体３を開放させるようにし、操作部８を押し込む指先が開口部２を塞ぐことがなく、係合対象物に対する環体１のかけ外しの容易化を図る。【選択図】　図２
2004138141.tif 000002
【特許請求の範囲】
【請求項１】
両端間に開口部が形成された環体と、その環体の開口部を環体の内側から開閉する開閉体とから成り、前記開閉体が、線材の折曲げにより形成されて環体の一端部内面に当接可能な当接杆部と、その当接杆部の両端に設けられた長さが相違する一対の側杆部と、各側杆部の端部から内方に向く一対の支点杆部とを設けた構成とされ、前記開閉体の一対の支点杆部を環体の他端部両側に設けられた軸方向に位置がずれる一対のピン孔内に挿入して開閉体を開閉自在に支持し、開閉体の開放時に捩り力を生じさせ、その復元弾性によって開閉体を閉鎖位置に復帰させるようにした連結リングにおいて、前記開閉体の少なくとも一方の側杆部に外側方に張り出す操作部を設けたことを特徴とする連結リング。
【請求項２】
前記開閉体の当接杆部を環体の一端部内周に沿う円弧状とした請求項１に記載の連結リング。
【請求項３】
前記環体の一端部内周に開閉体の当接杆部が嵌合可能な係合溝を形成した請求項１に記載の連結リング。
【発明の詳細な説明】
【０００１】
【発明の属する技術分野】
この発明は、例えば、ロープ同士を互いに連結する場合に用いられる連結環に関するものである。
【０００２】
【従来の技術】
この種従来の連結環として、図８および図９に示したものが従来から知られている。この連結環は、Ｃ字形環体１１の両端間に形成された開口部１２に開閉体１３を設け、その開閉体１３を線材の折曲げによって環体１１の一端部内周に当接される当接杆部１４の両端に長さが相違する一対の側杆部１５を設け、各側杆部１５の端部に内方に向く支点杆部１６を設けた構成とし、前記支点杆部１６のそれぞれを環体１１の他端部両側に形成されたピン孔１７内に挿入して、開閉体１３を開閉自在に支持している。
【０００３】
上記連結環においては、開閉体１３を環体１１の内側に押し込んで開放すると、開閉体１３に捩りが生じ、その捩りの復元弾性により当接杆部１４が環体１１の一端部内周に当接する閉鎖位置まで開閉体１３を復帰させるようにしている。
【０００４】
【発明が解決しようとする課題】
ところで、上記従来の連結リングにおいては、開閉体１３の一対の側杆部１５が平行し、その側杆部１５を指先Ａで押し込んで開閉体１３を開放状態とするため、指先Ａが開口部１２を塞ぎ、ロープ等の係合対象物Ｂに対する環体１１のかけ外しの際に、指先Ａが邪魔をし、かけ外しをスムーズに行なうことができないという不都合があった。
【０００５】
この発明の課題はロープ等の係合対象物に対して簡単にかけ外しを行なうことができるようにした連結リングを提供することである。
【０００６】
【課題を解決するための手段】
上記の課題を解決するために、この発明においては、両端間に開口部が形成された環体と、その環体の開口部を環体の内側から開閉する開閉体とから成り、前記開閉体が、線材の折曲げにより形成されて環体の一端部内面に当接可能な当接杆部と、その当接杆部の両端に設けられた長さが相違する一対の側杆部と、各側杆部の端部から内方に向く一対の支点杆部とを設けた構成とされ、前記開閉体の一対の支点杆部を環体の他端部両側に設けられた軸方向に位置がずれる一対のピン孔内に挿入して開閉体を開閉自在に支持し、開閉体の開放時に捩り力を生じさせ、その復元弾性によって開閉体を閉鎖位置に復帰させるようにした連結リングにおいて、前記開閉体の少なくとも一方の側杆部に外側方に張り出す操作部を設けた構成を採用している。
【０００７】
上記のように、開閉体の少なくとも一方の側杆部に外側方に張り出す操作部を設けることにより、その操作部を押し込むことによって開閉体を開放状態とすることができると共に、上記操作部を押し込む指先が環体の開口部を塞ぐことがなく、ロープ等の係合対象物に対して環体をかけ外す際に指先が邪魔をすることがない。
【０００８】
このため、係合対象物に対して環体をスムーズにかけ外しすることができる。
【０００９】
この発明に係る連結リングにおいて、開閉体の当接杆部を環体の一端部内周に沿う円弧状とすると、開閉体の閉鎖時に当接杆部が環体の一端部に係合するため、開閉体の開閉端部の一側部に障害物が当接して開閉方向と交差する方向の衝撃力が作用した場合に、その衝撃力は当接杆部と環体の一端部の係合部で受けられることになり、開閉体が変形したり、あるいは支点杆部がピン孔から抜け出すのを防止することができる。
【００１０】
また、環体の一端部内周に開閉体の当接杆部が嵌合可能な係合溝を設けておくと、開閉体の閉鎖時に当接杆部が係合溝に係合し、その当接杆部に連続する側杆部の開閉側の端部が環体の一端部側面と対向するため、開閉体の開閉端部の両側に前記と同様に衝撃力が付与されると、側杆部が環体の一端部側面に当接し、その当接部で衝撃力が受けられるため、開閉体が変形したり、あるいは支点杆部がピン孔から抜け出すのを防止することができる。
【００１１】
【発明の実施の形態】
以下、この発明の実施の形態を図１乃至図７に基づいて説明する。図１乃至図３は、この発明に係る連結リングの第１の実施形態を示す。図示のように、環体１はＣ形をなし、互いに対向する両端間に開口部２が設けられている。
【００１２】
開口部２には、その開口部２を環体１の内側から開閉する開閉体３が設けられている。開閉体３は鋼線等の線材の折曲げにより形成されて、環体１の一端部内面に当接可能な当接杆部４と、その当接杆部４の両端に連続する左右一対の側杆部５ａ、５ｂと、各側杆部５ａ、５ｂの端から内方向に向く支点杆部６とが設けられている。
【００１３】
一対の側杆部５ａ、５ｂは長さが相違し、開閉体３の組込み前の自然状態では、図２に示すように、相対的に傾斜して支点杆部６側の端部が前後方向に位置がずれている。同図で示すＬはずれ量を示す。
【００１４】
図１に示すように、環体１の他端部における両側面には一対のピン孔７ａ、７ｂが設けられている。一対のピン孔７ａ、７ｂは、環体１の両端の対向方向に位置がずれ各ピン孔７ａ、７ｂ内に対する支点杆部６の挿入により開閉体３は上記ピン孔７ａ、７ｂを中心として開閉自在とされている。
【００１５】
開閉体３の取付け状態において、一対の側杆部５ａ、５ｂは平行状態に保持されると共に、開閉体３に捩り力が付与され、その捩り力によって開閉体３は当接杆部４が環体１の一端部内面に当接する閉鎖状態に保持されている。
【００１６】
開閉体３の一対の側杆部５ａ、５ｂには外側方に張り出す操作部８が設けられている。図１においては、各側杆部５ａ、５ｂの開閉側の端部を外側方にＵ字形に折曲げ、そのＵ字形折曲げ部を操作部８としている。
【００１７】
上記のように、開閉体３の側杆部５ａ、５ｂに操作部８を設けると、その操作部８を指先Ａで押し込むことにより、開閉体３が環体１の内側に倒れて開放状態となり、その開放状態において操作部８を押し込む指先Ａが開口部２を塞ぐことはない。このため、ロープ等の係合対象物に対して環体１をスムーズにかけ外しすることができる。
【００１８】
また、開閉体３の開放時、その開閉体３に捩り力が付与される。このため、操作部８に対する押圧を解除すると、前記捩りの復元弾性により開閉体３は当接杆部４が環体１の一端部内面に当接する閉鎖状態に自動的に戻される。
【００１９】
図４（Ｉ）、（ＩＩ）は、この発明に係る連結リングの第２の実施形態を示す。
この第２の実施形態では、開閉体３に設けられた当接杆部４を環体１の一端部内周に沿う円弧状としている点で第１の実施形態で示す連結リングと相違している。
【００２０】
このため、第１の実施形態で示す連結リングと同一部分については同一の符号を付して説明を省略する。
【００２１】
第２の実施形態のように、当接杆部４を円弧状とすると、開閉体３の閉鎖時に円弧状の当接杆部４が環体１の一端部に係合するため開閉体３の側部が障害物に当接して、開閉体３に左右方向の衝撃力が付与されると、その衝撃力は当接杆部４と環体１の一端部の係合部で受けられることになる。
【００２２】
このため、開閉体３が変形したり、あるいは、支点杆部６がピン孔７ａ、７ｂから抜け出たりするのを防止することができる。
【００２３】
図５は、この発明に係る連結リングの第３の実施形態を示す。この実施形態で示す連結リングは、環体１の一端部内面に開閉体３の当接杆部４が嵌合可能な係合溝９を設けた点で第１の実施形態で示す連結リングと相違する。
【００２４】
このため、第１の実施形態で示す連結リングと同一部分には同一の符号を付して説明を省略する。
【００２５】
第３の実施形態で示すように環体１の一端部内面に係合溝９を設けることにより、開閉体３の閉鎖状態で当接杆部４が係合溝９に嵌まり、一対の側杆部５ａ、５ｂの開閉側端部が環体１の一端部側面に対向する。
【００２６】
このため、開閉体３の一側部に障害物が当接して開閉体３に左右方向の衝撃力が付与されると、側杆部５ａ、５ｂの開閉側端部が環体１の一端部側面に当接し、その当接部において前記衝撃力を受ける。このため、開閉体３が左右方向に変形したり、支点杆部６がピン孔７ａ、７ｂから抜け出るのを防止することができる。
【００２７】
第１の実施の形態では、側杆部５ａ、５ｂの開閉側端部にＵ字形の操作部８を設けたが、操作部８はこれに限定されず、例えば、図６（Ｉ）乃至（ＩＩＩ　）および図７（Ｉ）乃至（ＩＩＩ　）に示す形状を採用することができる。
【００２８】
ここで、図６（Ｉ）に示す開閉体３においては、側杆部５ａ、５ｂにＬ字形の屈曲部を設け、その屈曲部を操作部８としている。
図６（ＩＩ）に示す開閉体３においては、側杆部５ａ、５ｂをＵ字形に折曲げ、その折曲部を操作部としている。
図６（ＩＩＩ　）に示す開閉体３においては、側杆部５ａ、５ｂを円弧状として側部を操作部８としている。
【００２９】
図７（Ｉ）に示す開閉体３においては、側杆部５ａ、５ｂを当接杆部４側の端から支点杆部６側の端に向けて傾斜させて、側杆部５ａ、５ｂの当接杆部４側の端部を操作部８としている。
図７（ＩＩ）に示す開閉体３においては、側杆部５ａ、５ｂの開閉側端に当接杆部４と連続するＵ字形の屈曲部を形成し、その屈曲部を操作部８としている。
さらに、図７（ＩＩＩ　）に示す開閉体３においては、側杆部５ａ、５ｂの揺動支点側の端部に支点杆部６に連続するＵ字形の屈曲部を設け、その屈曲部を操作部８としている。
【００３０】
第１の実施形態では、環体１としてＣ字形のものを示したが、環体１の形状はこれに限定されず、例えばＤ字形であってもよい。また、一対の側杆部５ａ、５ｂのそれぞれに操作部８を設けたが、一方の側杆部にのみ操作部８を設けるようにしてもよい。
【００３１】
【発明の効果】
以上のように、この発明においては、開閉体の側杆部に外側方に張り出す操作部を設け、この操作部を押し込むことによって開閉体を開放させることができるため、開閉体を開放させる指先が開口部を塞ぐことがなく、係合対象物に対して環体をきわめて容易にかけ外しすることができる。
【図面の簡単な説明】
【図１】この発明に係る連結リングの第１の実施形態を示す正面図
【図２】図１の側面図
【図３】図２のＩＩＩ　−ＩＩＩ　線に沿った断面図
【図４】（Ｉ）はこの発明に係る連結リングの第２の実施形態を示す側面図、（ＩＩ）は（Ｉ）のＩＶ−ＩＶ線に沿った断面図
【図５】この発明に係る連結リングの第３の実施形態を示す断面図
【図６】（Ｉ）、（ＩＩ）、（ＩＩＩ　）は開閉体の他の例を示す正面図
【図７】（Ｉ）、（ＩＩ）、（ＩＩＩ　）は開閉体のさらに他の例を示す正面図
【図８】従来の連結リングを示す正面図
【図９】図８の側面図
【符号の説明】
１　環体
２　開口部
３　開閉体
４　当接杆部
５ａ、５ｂ　側杆部
６　支点杆部
７ａ、７ｂ　ピン孔
８　操作部
９　係合溝
【図１】
2004138141.tif 000003
【図２】
2004138141.tif 000004
【図３】
2004138141.tif 000005
【図４】
2004138141.tif 000006
【図５】
2004138141.tif 000007
【図６】
2004138141.tif 000008
【図７】
2004138141.tif 000009
【図８】
2004138141.tif 000010
【図９】
2004138141.tif 000011